(57)【要約】【課題】インターネットが普及した昨今において、デジタルコンテンツの配信者が著作物の権利処理を行っている現状では、著作権処理が適切に行えなかった。【解決手段】記録媒体にデータを記録する情報処理装置であって、記録媒体の著作権処理に関する情報である著作権処理情報を受け付ける著作権処理情報受付部と、著作権処理情報を記録媒体に記録する著作権処理情報記録部とを具備し、当該情報処理装置が、記録媒体に記録されている著作権処理に関する情報である著作権処理情報を取得し、著作権処理情報に基づいてコンテンツを記録するか否かを判断するように記録処理を行うことにより、記録媒体に対して著作権料を付けることができ、適切な著作権保護が図られる。【選択図】図２
2007265416.tif 000002
【特許請求の範囲】
【請求項１】
記録媒体にデータを記録する情報処理装置であって、記録媒体の著作権処理に関する情報である著作権処理情報を受け付ける著作権処理情報受付部と、前記著作権処理情報を記録媒体に記録する著作権処理情報記録部とを具備する情報処理装置。
【請求項２】
コンテンツを記録媒体に記録する情報処理装置であって、コンテンツを保持しているコンテンツ保持部と、前記記録媒体に記録されている著作権処理に関する情報である著作権処理情報を取得する著作権処理情報取得部と、前記著作権処理情報に基づいて、前記コンテンツ保持部が保持しているコンテンツを記録するコンテンツ記録部と、外部から記録媒体の著作権処理に関する情報である著作権処理情報を受け付ける著作権処理情報受付部と、前記著作権処理情報を前記記録媒体に記録する著作権処理情報記録部とを具備する情報処理装置。
【請求項３】
記録媒体にコンテンツを記録する情報処理装置であって、コンテンツを受信する受信部と、前記記録媒体に記録された著作権処理情報を取得する著作権処理情報取得部と、前記著作権処理情報に基づいて前記コンテンツを記録するコンテンツ記録部と、外部から記録媒体の著作権処理に関する情報である著作権処理情報を受け付ける著作権処理情報受付部と、前記著作権処理情報を記録媒体に記録する著作権処理情報記録部とを具備する情報処理装置。
【請求項４】
前記著作権処理情報受付部は、通信により著作権処理情報を受け付け、前記記録媒体はハードディスクである請求項３記載の情報処理装置。
【請求項５】
前記著作権処理情報記録部が著作権処理情報を記録する領域は、予め決められている領域である請求項１から請求項４いずれか記載の情報処理装置。
【請求項６】
前記記録媒体が光ディスクであり、コンテンツを格納する領域とは区別された領域に前記著作権処理情報が記録される請求項１から請求項３、または請求項５いずれか記載の情報処理装置。
【請求項７】
著作権処理情報の書き換え指示または記録指示に関する情報を含む情報である指示情報を受け付ける指示情報受付部と、前記指示情報を送信する指示情報送信部をさらに具備し、前記著作権処理情報受付部が受け付ける著作権処理情報は、前記送信した指示情報に基づいて外部から送信される情報である請求項１から請求項６いずれか記載の情報処理装置。
【請求項８】
前記著作権処理情報に基づいて著作権料金を決定する著作料決定部をさらに具備する請求項１から請求項７いずれか記載の情報処理装置。
【請求項９】
請求項１から請求項８いずれか記載の情報処理装置に著作権処理情報を送信する送信装置。
【請求項１０】
請求項７記載の情報処理装置に著作権処理情報を送信する送信装置であって、指示情報を受信する指示情報受信部と、前記指示情報受信部が受信した指示情報に基づいて著作権処理情報を生成する著作権処理情報生成部と、前記著作権処理情報生成部で生成した著作権処理情報を送信する著作権処理情報送信部を具備する送信装置。
【請求項１１】
前記指示情報は、当該指示情報を送信した送信者を識別する識別情報を含み、前記識別情報に基づいて個人認証する個人認証部を具備し、前記個人認証部の認証結果に基づいて著作権処理情報を送信したりしなかったりする請求項９記載の送信装置。
【請求項１２】
前記送信する著作権処理情報に基づいて著作権料金を決定する著作料決定部をさらに具備する請求項１１記載の送信装置。
【請求項１３】
前記著作権処理情報は、著作権処理レベル情報を有し、前記著作料決定部が前記著作権処理レベル情報に基づいて異なる著作権料金を決定する請求項１２記載の送信装置。
【請求項１４】
前記著作権処理情報は、著作権処理協会識別子を有し、前記著作料決定部が決定した著作権料金を、前記著作権処理協会識別子毎に集計する著作権料金集計部をさらに具備する請求項１３記載の送信装置。
【請求項１５】
請求項８記載の送信装置が送信する著作権処理情報に基づいて著作権料金を決定する著作権料金決定ステップを具備する著作権料金決定方法。
【請求項１６】
前記著作権処理情報は、著作権処理レベル情報を有し、前記著作権料金決定ステップは、著作権処理レベル情報に基づいて異なる著作権料金を決定する請求項１５記載の著作権料金決定方法。
【請求項１７】
前記著作権処理情報は、著作権処理協会識別子を有し、前記著作権料金決定ステップにより決定された著作権料金を著作権処理協会識別子毎に集計する著作権料金集計ステップをさらに具備する請求項１５または請求項１６いずれか記載の著作権料金決定方法。
【請求項１８】
請求項１から請求項７いずれか記載の情報処理装置が著作権処理情報を記録する記録媒体。
【請求項１９】
著作権処理情報の書き換え指示または記録指示に関する情報を含む情報である指示情報を受け付ける指示情報受付部と、前記指示情報を送信する指示情報送信部を具備する情報処理装置。
【請求項２０】
コンピュータに、記録媒体の著作権処理に関する情報である著作権処理情報を受け付ける著作権処理情報受付ステップと、前記著作権処理情報を記録媒体に記録する著作権処理情報記録ステップを実行させるためのプログラム。
【請求項２１】
コンピュータに、記録媒体に記録されている著作権処理情報を取得する著作権処理情報取得ステップと、前記著作権処理情報に基づいて前記コンテンツを記録するコンテンツ記録ステップと、外部から記録媒体の著作権処理に関する情報である著作権処理情報を受け付ける著作権処理情報受付ステップと、前記著作権処理情報を記録媒体に記録する著作権処理情報記録ステップを実行させるためのプログラム。
【請求項２２】
コンピュータに、コンテンツを受信する受信ステップと、記録媒体に記録された著作権処理情報を取得する著作権処理情報取得ステップと、前記著作権処理情報に基づいて前記コンテンツを記録するコンテンツ記録ステップと、外部から記録媒体の著作権処理に関する情報である著作権処理情報を受け付ける著作権処理情報受付ステップと、前記著作権処理情報を記録媒体に記録する著作権処理情報記録ステップを実行させるためのプログラム。
【発明の詳細な説明】
【技術分野】
【０００１】
本発明は著作権保護のための情報を記録媒体に記録する情報処理装置および記録媒体等に関するものである。
【背景技術】
【０００２】
近年のブロードバンドインフラの整備にともなって、コンテンツの配信方法が、これまでの物理媒体（テープ、ＣＤ、ＤＶＤ等）やＴＶ放送、ラジオ放送、映画等以外にネットワークによる配信がなされるようになってきている。また、ブロードバンドによる常時接続環境が定着すると、デジタルコンテンツのネットワーク配信の量が増えるとともに、コンテンツを個人が制作する機会も増えることが予想される。さらに、コンテンツ配信事業者も今までの映画や音楽等の制作会社、放送局等以外にネットワーク接続事業者等も参入している。
【０００３】
一方、デジタルコンテンツのネットワークによる配信の場合、コンテンツホルダーの著作権を不正コピーから保護するルールが確立されていない。従って、今までと同様にコンテンツ配信者が一括管理して著作権処理を行っているのが通常である。
【発明の開示】
【発明が解決しようとする課題】
【０００４】
上述のように、デジタルコンテンツの配信者が著作物の権利処理を行っている現状では、対応に無理が生じることが予想される。特に、インターネットが普及した昨今において、コンテンツのネットワーク配信に対して著作権保護を適切に行うことは難しかった。
【課題を解決するための手段】
【０００５】
以上の課題を解決するために、先の特許出願（特願２００２−０２３０６０）において、デジタルコンテンツの配信過程において、著作物の権利処理を配信事業者ではなく、他の過程にて実施し、かつ、膨大な数の著作権者に対して処理が可能な方法を提供するアイデアについて出願した。
【０００６】
当該特許出願は、具体的には、著作権処理情報が予め記録されている記録媒体と、コンテンツを当該記録媒体に記録する記録装置とを具備する記録システムであって、記録装置が、記録媒体に記録されている著作権処理に関する情報である著作権処理情報を取得し、当該著作権処理情報に基づいてコンテンツを記録するか否かを判断するように記録処理を行うことにより、記録媒体に対して著作権料を付けることができ、適切な著作権保護が図られる、というアイデアである。本願において、上記発明に追加して、前記著作権処理情報を記録媒体に記録する装置、および著作権処理情報に基づいた課金処理の発明について述べる。具体的には、記録媒体にデータを記録する情報処理装置であって、記録媒体の著作権処理に関する情報である著作権処理情報を受け付ける著作権処理情報受付部と、著作権処理情報を記録媒体に記録する著作権処理情報記録部とを具備する情報処理装置を提供する。
【０００７】
また、コンテンツを記録媒体に記録する情報処理装置であって、記録媒体に記録されている著作権処理に関する情報である著作権処理情報を取得する著作権処理情報取得部と、取得した著作権処理情報に基づいてコンテンツを記録するコンテンツ記録部と、外部から記録媒体の著作権処理に関する情報である著作権処理情報を受け付ける著作権処理情報受付部と、著作権処理情報を記録媒体に記録する著作権処理情報記録部とを具備する情報処理装置を提供する。かかる情報処理装置により、著作権処理情報を記録媒体に、装置内部または外部から記録することが可能になり、より著作権保護、ひいては著作物の流通に寄与する。なお、「著作権処理情報に基づいてコンテンツを記録する」とは、「著作権処理情報の内容によって、コンテンツを記録しない場合もあり得る」という意味である。
【０００８】
また、著作権処理情報に基づいて著作権料金を決定する、という課金の仕組みを導入することにより、より適正な著作料の徴収が可能になり、著作権保護に繋がる。
【０００９】
さらに、著作権処理情報は、著作権処理協会識別子を有し、決定した著作権料金を、その著作権処理協会識別子毎に集計する処理により、適正な著作料の分配が可能になり、著作権の適切な保護に寄与する。
【発明の効果】
【００１０】
以上のように、本発明によれば、著作権処理情報を内部、または外部から記録媒体に記録することができる。そして、当該記録媒体に記録された著作権処理情報に基づいてコンテンツの記録方法等を決定することにより、適切な著作権保護が図られる。
【発明を実施するための最良の形態】
【００１１】
以下、記録装置を有する記録システム等の実施形態について図面を参照して説明する。なお、実施の形態において同じ符号を付した構成要素は同様の動作を行うので、再度の説明を省略する場合がある。
【００１２】
（実施の形態１）
図１は、本発明における記録装置および記録媒体を有する記録システムの概念図である。
【００１３】
本記録システムは、記録装置１０１と記録媒体１０２を有する。記録装置１０１は、記録媒体１０２にコンテンツを記録する。ここで、コンテンツとは、データや情報と言っても良い。但し、コンテンツは、主として映画などの映像、音声データ、曲などの音楽データなど著作権保護の対象となるデータを言う。
【００１４】
記録媒体１０２は、コンテンツを記録することができる媒体である。記録媒体１０２は、コンテンツを記録できるものなら何でも良く、追記型光ディスク、書き換え型光ディスク、フロッピー（登録商標）ディスク、半導体メモリ（記録装置から着脱可能なものも含む）、ハードディスクなどがある。
【００１５】
記録装置１０１は、コンピュータ本体１０１１、記録媒体のドライブ１０１２、ディスプレイ１０１３を有する。コンピュータ本体１０１１と記録媒体のドライブ１０１２により、記録媒体１０２へコンテンツを記録する処理が実行される。ディスプレイ１０１３は、ユーザがコンテンツ複写の命令を入力するために必要となるものであるが、必須ではない。
【００１６】
また、記録装置１０１は、コンピュータ本体１０１１と記録媒体のドライブ１０１２により実現されるのが一般的であるが、記録媒体１０２にコンテンツを複写するための専用機（例えば、一体型のもの）であっても良いのは言うまでもない。
【００１７】
さらに、コンピュータ本体１０１１はコンテンツを蓄積するメモリ、ドライブ１０１２に記録指示等の制御をするためのプログラムを記録したＲＯＭ、ＲＯＭからプログラムを読み出し実行するＣＰＵなどからなる。コンピュータ本体１０１１は一般的な構成であるので、ここでは図示しない。
【００１８】
図２は、本発明における記録装置１０２の構成を示すブロック図である。
【００１９】
記録装置１０２は、命令受付部２０１、著作権情報取得部２０２、判断部２０３、記録方法決定部２０４、コンテンツ保持部２０５、コンテンツ取得部２０６、コンテンツ記録部２０７を有する。
【００２０】
命令受付部２０１は、コンテンツを識別するコンテンツ識別子と記録媒体を識別する記録媒体識別子を有する記録指示の命令を受け付ける。命令受付部２０１は、例えば、ユーザからのキーボードやマウスを用いた入力を受け付けるドライバーソフト等で実現され得る。また、例えば、ネットワークを経由して命令が送信される場合を想定すると、命令受付部２０１は、モデムとそのドライバーソフトである。さらに、放送により命令が送信される場合を想定すると、命令受付部２０１は、チューナーとそのドライバーソフトである。さらに、赤外線リモコンで命令が送信されるとすると、命令受付部２０１は、赤外線受光器とそのドライバーソフトである。
【００２１】
著作権情報取得部２０２は、命令受付部２０１が受け付けた記録媒体識別子で識別される記録媒体に記録されている著作権処理に関する情報である著作権処理情報を取得する。著作権処理情報とは、著作権に関する何らかの措置がされたことを示す情報であり、例えば、複写や出力などの際に料金が発生するコンテンツや課金され得るコンテンツを、複写や移動や出力（視聴など）等することが可能であることを示す情報である。記録媒体１０２に著作権処理情報が存在することは、その記録媒体に、複写有料のコンテンツを複写しても良いことを示す。
【００２２】
著作権情報取得部２０２は、通常、ソフトウェアおよびＣＰＵにより実現され得る。このソフトウェアは、通常、ＲＯＭ等に格納されている。なお、著作権処理情報の取得とは、一時的な読み出しも含む。
【００２３】
判断部２０３は、著作権情報取得部２０２が著作権処理情報を取得できたか否かを判断する。判断部２０３は、通常、ソフトウェアおよびＣＰＵにより実現され得る。このソフトウェアは、通常、ＲＯＭ等に格納されている。
【００２４】
記録方法決定部２０４は、判断部２０３の判断結果に基づいてコンテンツの記録方法を決定する。記録方法決定部２０４は、通常、ソフトウェアおよびＣＰＵにより実現され得る。このソフトウェアは、通常、ＲＯＭ等に格納されている。
【００２５】
コンテンツ保持部２０５は、１以上のコンテンツを保持している。コンテンツ保持部２０５は、ハードディスクや半導体メモリや光ディスクなど、コンテンツを格納し得る媒体であれば何でも良い。また、コンテンツ保持部２０５は、一時的にコンテンツを記録していても良い。この場合、コンテンツ保持部２０５が保持しているコンテンツは、放送で送られたコンテンツであっても良いし、通信で送信されたコンテンツであっても良いし、ＣＤ―ＲＯＭなどの記録媒体に格納されているコンテンツを読み込んだものであっても良い。以下、すべての実施の形態において同様である。
【００２６】
コンテンツ取得部２０６は、コンテンツ保持部２０５に格納されているコンテンツを取得する。コンテンツ取得部２０６は、通常、ソフトウェアおよびＣＰＵにより実現され得る。このソフトウェアは、通常、ＲＯＭ等に格納されている。
【００２７】
コンテンツ記録部２０７は、記録方法決定部２０４の決定に基づいてコンテンツ取得部２０６が取得したコンテンツを記録する。コンテンツ記録部２０７は、通常、ソフトウェアおよびＣＰＵ等により実現され得る。このソフトウェアは、通常、ＲＯＭ等に格納されている。
【００２８】
以下、記録装置１０１が記録媒体１０２にコンテンツを複写する動作について、フローチャート（図３）を参照して説明する。
【００２９】
（ステップＳ３０１）
命令受付部２０１が記録指示の命令を受け付けたか否かを判断する。命令を受け付ければステップＳ３０２に行き、命令を受け付けていなければステップＳ３０１に戻る。
【００３０】
（ステップＳ３０２）
著作権情報取得部２０２が著作権処理情報を取得する処理をし（取得できない場合もあり得る。）、判断部２０３が記録媒体１０２に著作権処理情報が記録されているか否かを判断する。記録されていればステップＳ３０３に行き、記録されていなければステップＳ３０４に行く。
【００３１】
（ステップＳ３０３）
記録方法決定部２０４は、記録方法を「パターン１」と決定する。
【００３２】
（ステップＳ３０４）
記録方法決定部２０４は、記録方法を「パターン２」と決定する。
【００３３】
（ステップＳ３０５）
コンテンツ取得部２０６は、命令受付部２０１で受け付けた命令が有するコンテンツ識別子で識別されるコンテンツが存在するか否かを判断する。コンテンツが存在すればステップＳ３０６に行き、存在しなければステップＳ３０８に飛ぶ。
【００３４】
（ステップＳ３０６）
コンテンツ取得部２０６は、命令受付部２０１で受け付けた命令が有するコンテンツ識別子で識別されるコンテンツをコンテンツ保持部２０５から取得する。
【００３５】
（ステップＳ３０７）
コンテンツ記録部３０７は、記録方法（「パターン１」または「パターン２」）に従って、コンテンツを記録媒体に記録する。
【００３６】
（ステップＳ３０８）
複写指定されたコンテンツが存在しない旨のエラーメッセージを出力する。
【００３７】
以上、記録装置１０１の動作について説明した。以下、記録装置１０１の具体的な動作について説明する。
【００３８】
今、ユーザから「ｃｏｐｙ  コンテンツ１  ｔｏ  記録媒体Ａ」という命令が入力されたとする。この命令は「コンテンツ１を記録媒体Ａにコピーする。」ことを意味するとする。
【００３９】
かかる場合の第一の動作例は、以下の通りである。記録装置１０１は、記録媒体Ａが著作権処理情報を保持しているか否かを判断する。記録装置１０１は、記録媒体Ａが著作権処理情報を保持していると判断すれば、コンテンツ１を読み出し、記録媒体Ａにコンテンツ１を複写する。記録媒体Ａが著作権処理情報を保持していない場合には、記録装置１０１は、記録媒体Ａにコンテンツ１を複写しない。
【００４０】
つまり、上述の記録方法「パターン１」は、単純な複写を示す。また、記録方法「パターン２」は、何もしないことを示す。つまり、「パターン２」は、「ｎｏｐ」を示す。
【００４１】
ここで、記録媒体Ａに記録された著作権処理情報の例を図４に示す。記録媒体Ａは、例えば、書き換え型の光ディスク（ＤＶＤなど）である。そして、著作権処理情報は、例えば、ＤＶＤ−Ｒの「Ｒ−Ｉｎｆｏｒｍａｔｉｏｎ  ａｒｅａ」と言われる領域に記録されている。但し、「Ｒ−Ｉｎｆｏｒｍａｔｉｏｎ  ａｒｅａ」は著作権処理情報が書き込まれる例であって、他の領域であっても良い。なお、著作権処理情報が書き込まれる領域は、コンテンツが書き込まれる領域と区別できる別領域であることが望ましい。別領域の例として、「Ｒ−Ｉｎｆｏｒｍａｔｉｏｎ  ａｒｅａ」などの記録装置にとって必要な記録管理情報のために用意されている領域がある。
【００４２】
著作権処理情報は、例えば、８ｂｉｔの情報からなり、前１ｂｉｔは、著作権処理判断情報である。著作権処理判断情報とは、著作権処理情報が記録されているか否かを示す情報である。著作権処理判断情報が「１」の値の場合は、記録媒体Ａに著作権処理情報が記録されている。つまり、記録媒体Ａが、著作権処理されており、コンテンツを複写できることを意味する。一方、著作権処理判断情報が「０」の値の場合は、記録媒体Ａに著作権処理情報が記録されていない。つまり、記録媒体Ａが、著作権処理されておらず、コンテンツを複写できないことを意味する。
【００４３】
著作権処理情報のうちの次２ｂｉｔ（２ｂｉｔ目〜３ｂｉｔ目）は、著作権処理レベル情報を示す。著作権処理レベル情報とは、記録媒体Ａがどのような著作権処理をされた媒体か否かを示す。この著作権処理レベル情報により、記録媒体Ａに複写できるコンテンツが異なったり、複写の方法が異なったりする。この制御は、記録装置１０１で行われる。かかる処理の詳細は、実施の形態２で述べる。
【００４４】
著作権処理情報のうちの次５ｂｉｔ（４ｂｉｔ目〜８ｂｉｔ目）は、著作権処理協会識別子を示す。著作権処理協会識別子は、著作権処理（著作権管理や課金をする団体なども含む）をする団体を識別する情報である。この著作権処理協会識別子により、記録媒体Ａがコンテンツを複写する行為を認められた団体が分かる。
【００４５】
この著作権処理協会識別子は、例えば、以下のように利用する。例えば、著作権処理協会識別子が「００００１」（音楽著作権協会を意味する）である場合には、音楽の著作権を管理する協会により著作権処理されていることを示し、音楽データ（例えば、ＷＡＶファイル）は著作権処理判断情報や著作権処理レベルに基づいて記録媒体に記録される。一方、音楽データ以外（例えば、映画のコンテンツなど）は、著作権処理されていないと判断され、記録媒体に記録できない。
【００４６】
一方、著作権処理協会識別子が「０００１０」（映画著作権協会を意味する）である場合には、映画の著作権を管理する協会により著作権処理されていることを示し、映画のデータ（例えば、ｍｐｅｇファイル）は著作権処理判断情報や著作権処理レベルに基づいて記録媒体に記録される。一方、映画データ以外（例えば、音楽のコンテンツなど）は、著作権処理されていないと判断され、記録媒体に記録できない。
【００４７】
また、以下のように考えても良い。著作権処理協会識別子が「０００１１」の場合には、音楽著作権協会と映画著作権協会の許可を得ている、ということを示し、映画や音楽がその記録媒体に記録できる。つまり、著作権処理協会識別子のうしろ１ｂｉｔ目は「映画著作権協会」の記録許可の有無を示し、うしろ２ｂｉｔ目は「音楽著作権協会」の記録許可の有無を示す。
【００４８】
以上、著作権処理情報の例を説明したが、上記例に限られない。つまり、著作権処理情報は、著作権処理判断情報だけからなっても良いし、上述の情報以外の情報を含んでいても良い。以下、すべての実施の形態において該当する。
【００４９】
また、著作権処理情報の記録媒体への記録に関して以下のことが言える。著作権処理情報の記録媒体への記録とは、記録媒体に著作権処理情報が存在しない場合に著作権処理情報を新たに記録する、ということでも良いし、記録媒体に著作権処理情報が存在する場合でも、著作権処理情報を更新する、つまり上書きする、という処理でも良い。以下、すべての実施の形態において該当する。
【００５０】
さらに、著作権処理情報の記録媒体への記録とは、例えば図４に示した８ｂｉｔすべての情報の記録でも良いし、８ｂｉｔのうちの著作権処理レベルだけの情報の記録でも良い。つまり、著作権処理情報の記録媒体への記録とは、著作権処理情報の全部の情報の記録および一部の情報の記録を言う。以下、すべての実施の形態において該当する。
【００５１】
次に、記録装置１０１の第二動作例について説明する。上記と同様に、ユーザから「ｃｏｐｙ  コンテンツ１  ｔｏ  記録媒体Ａ」という命令が入力されたとする。まず、記録装置１０１は、記録媒体Ａが著作権処理情報を保持しているか否かを判断する。記録装置１０１は、記録媒体Ａが著作権処理情報を保持していると判断すれば、コンテンツ１を読み出し、記録媒体Ａにコンテンツ１を単純にすべて複写する。記録装置１０１は、記録媒体Ａが著作権処理情報を保持していないと判断した場合は、コンテンツ１を読み出し、記録媒体Ａにコンテンツ１の一部を複写する。つまり、上述の記録方法「パターン１」はコンテンツをすべて複写する方法を意味し、記録方法「パターン２」はコンテンツの一部を複写する方法を意味する。コンテンツが動画や音声を含む映画等である場合、コンテンツの一部とは、例えばコンテンツの前３０秒の情報であることが望ましい。かかる場合は、「パターン２」の記録方法を採ることにより、プロモーションの効果がある。但し、「パターン２」の記録方法は、コンテンツの任意の一部を複写する方法であっても良い。また、「パターン２」の記録方法は、コンテンツの飛び飛びの複数フィールド（コンテンツからフィールドを一定間隔で取得しても良いし、任意の間隔で取得しても良い。）等の一部の情報を複写する方法や、映像と音声からなるコンテンツのうち、音声のみを複写する方法等、いろいろ想定できる。また、「パターン２」の記録方法は、コンテンツ中でプロモーションに利用する一部のデータが明示されている場合に、そのプロモーション用のデータを切り出して記録する方法でも良い。プロモーションに利用する一部のデータの明示方法には、コンテンツ中にプロモーション開始とプロモーション終了の属性情報（タグ）を挿入することにより明示する方法などが考えられる。但し、コンピュータ等によりコンテンツ中にプロモーションの情報の位置が分かる方法であれば、タグに限らず、何でも良い。
【００５２】
次に、記録装置１０１の第三動作例について説明する。上記と同様に、ユーザから「ｃｏｐｙ  コンテンツ１  ｔｏ  記録媒体Ａ」という命令が入力されたとする。まず、記録装置１０１は、記録媒体Ａが著作権処理情報を保持しているか否かを判断する。記録装置１０１は、記録媒体Ａが著作権処理情報を保持していると判断すれば、コンテンツ１を読み出し、記録媒体Ａにコンテンツ１を単純にすべて複写する。記録装置１０１は、記録媒体Ａが著作権処理情報を保持していないと判断した場合は、コンテンツ１を読み出し、コンテンツ１を予め決められた方法で暗号化する。そして、記録装置１０１は、暗号化したコンテンツ１を記録媒体Ａに記録する。
【００５３】
以上、本実施の形態において、記録媒体にコンテンツを複写する場合に、コンテンツを複写する記録媒体に著作権処理情報が記録されているか否かにより、複写するか複写しないかを決定した。または、記録媒体にコンテンツを複写する場合に、コンテンツを複写する記録媒体に著作権処理情報が記録されているか否かにより、コンテンツの複写方法を変えた。かかる処理により、著作権者を保護するための仕組みを記録媒体に構築できる。具体的には、記録媒体の製造業者や販売業者から著作権者または著作権保護団体等に、予め記録媒体の販売額の一部を納めさせ、その代替として著作権処理情報を記録媒体に記録する。かかる著作権処理情報の記録が予めされている記録媒体を市場に流通させる。そして、著作権処理情報が予め記録された記録媒体にのみ、記録装置がコンテンツの複写や移動を許すことにより、著作権処理が適切にできる。
【００５４】
なお、本実施の形態において、著作権処理情報を予め記録している記録媒体は、書き換え型の光ディスクであったが、ハードディスクやフロッピー（登録商標）ディスクなどの磁気ディスクや、追記型の光ディスクや、可搬な半導体メモリなど、情報を記録できる記録媒体であれば何でも良い。
【００５５】
また、ユーザからのコンテンツ複写の命令入力は、コマンド入力で説明したが、マウスやリモコンなどにより命令入力しても良いのは言うまでもない。また、命令は、ネットワークや放送により送信され、記録装置が当該命令を受信して、記録処理をしても良い。
【００５６】
さらに、上記の動作（特に、図３のフローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【００５７】
また、本実施の形態において、命令受付部２０１は必須ではなく、記録装置で自動的に予め決められた命令を実行しても良い。
【００５８】
また、コンテンツ保持部２０５には、複数のコンテンツがあっても良いし、一つのコンテンツのみ存在しても良い。コンテンツ保持部２０５に一つのコンテンツのみ存在する場合は、コンテンツ取得部２０６は、決まったコンテンツを取得することとなる。
【００５９】
また、本実施の形態において、コンテンツのコピーについて説明したが、コンテンツを移動する場合にも同様の処理をしても良い。
【００６０】
また、本実施の形態において、命令に媒体を識別する媒体識別子を含めたが、媒体識別子がなくても良い。かかる場合は、予め決められた媒体にコンテンツを複写または移動することとなる。
【００６１】
（実施の形態２）
図５は、本発明における記録装置の構成を示すブロック図である。
【００６２】
記録装置は、命令受付部２０１、コンテンツ保持部２０５、コンテンツ取得部２０６、コンテンツ記録部２０７、装置側情報保持部５０１、媒体側情報取得部５０２、記録方法決定部５０３を有する。
【００６３】
装置側情報保持部５０１は、装置側の著作権処理情報を保持している。この著作権処理情報は、複写または移動されるコンテンツに対応する著作権処理情報である。この著作権処理情報は、コンテンツと１対１に対応するように保持されていても良いし、記録装置に一つだけ保持されていても良い。著作権処理情報が記録装置に一つだけ保持されていている場合は、記録装置が保持しているすべてのコンテンツに対応する著作権処理情報が同一であることを意味する。
【００６４】
装置側情報保持部５０１は、ハードディスクや半導体メモリや光ディスクなど、コンテンツを格納し得る媒体であれば何でも良い。
【００６５】
媒体側情報取得部５０２は、記録媒体に記録されている著作権処理情報を取得する。媒体側情報取得部５０２は、著作権情報取得部２０２と同様の動作をする。
【００６６】
記録方法決定部５０３は、装置側情報保持部５０１で保持している著作権処理情報と、媒体側情報取得部５０２で取得した著作権処理情報とに基づいてコンテンツの記録方法を決定する。記録方法決定部５０３は、通常、ソフトウェアおよびＣＰＵにより実現され得る。このソフトウェアは、通常、ＲＯＭ等に格納されている。
【００６７】
以下、記録装置が記録媒体にコンテンツを複写する動作について、フローチャート（図６）を参照して説明する。
【００６８】
（ステップＳ６０１）
命令受付部２０１が記録指示の命令を受け付けたか否かを判断する。命令を受け付ければステップＳ６０２に行き、命令を受け付けていなければステップＳ６０１に戻る。
【００６９】
（ステップＳ６０２）
媒体側情報取得部５０２が記録媒体から著作権処理情報の取得を試み、著作権処理情報を取得できたか否かを判断する。著作権処理情報を取得できればステップＳ６０３に行き、著作権処理情報を取得できなければステップＳ６０６に飛ぶ。なお、本ステップで著作権処理情報を取得できる場合は、著作権処理情報を取得している。
【００７０】
（ステップＳ６０３）
記録方法決定部５０３は、装置側情報保持部５０１で保持している装置側の著作権処理情報を取得する。なお、この説明では、装置側の著作権処理情報は一つであり、全コンテンツに共通の情報であるとする。
【００７１】
（ステップＳ６０４）
記録方法決定部５０３は、ステップＳ６０２で媒体側情報取得部５０２が取得した著作権処理情報と、ステップＳ６０３で取得した装置側の著作権処理情報に基づいて、コンテンツの記録方法を決定する。
【００７２】
（ステップＳ６０５）
コンテンツ記録部２０７は、ステップＳ６０４で決定したコンテンツの記録方法に従ってコンテンツを記録媒体に記録する。
【００７３】
（ステップＳ６０６）
指定された記録媒体に、コンテンツを記録できない旨のエラーメッセージを出力する。なお、エラーメッセージは、通常、記録装置に予め格納されている。但し、このエラーメッセージは、ネットワーク経由や放送や記録媒体などの手段により外部から記録装置に格納されても良い。
【００７４】
以上、本実施の形態における記録装置の動作について説明した。以下、記録装置の具体的な動作について説明する。
【００７５】
今、ユーザから「ｃｏｐｙ  コンテンツ２」という命令が入力されたとする。この命令は「コンテンツ２を記録媒体にコピーする。」ことを意味するとする。命令に記録媒体を識別する情報がないので、本例の場合は、常に同じ記録媒体にコンテンツを複写または移動するとする。
【００７６】
かかる場合の第一の動作例は、以下の通りである。記録装置は、記録媒体が著作権処理情報を保持しているか否かを判断する。記録装置は、記録媒体が著作権処理情報を保持していると判断すれば、記録方法決定部５０３は装置側情報保持部５０１で保持されている装置側の著作権処理情報を取得する。そして、記録方法決定部５０３は、媒体側の著作権処理情報と装置側の著作権処理情報が一定の関係の場合に、コンテンツ２を記録媒体に複写する。この複写は、単純にコンテンツ２を記録媒体に複写するものとする。一方、両者が一定の関係にない場合は、コンテンツの複写は行わない。一定の関係とは、例えば、両データが一致する関係がある。但し、一定の関係とは、両データが予め決められた他の関係である場合もある。例えば、実施の形態１で述べた著作権処理レベル情報を利用して、一定の関係にあるか否かを判断しても良い。具体的には、著作権処理レベル情報とは、どのようなレベルのコンテンツを格納できるか否かを示す情報であるとする。かかる場合、記録媒体に予め記録されている著作権処理レベル情報と比較して、「著作権処理レベル情報」が示す値以下の値がコンテンツに対応する著作権処理情報（または、著作権処理情報の一部の情報）である場合には、記録媒体への複写が許される。つまり、「記録媒体の著作権処理レベル情報＞＝コンテンツの著作権処理情報（または、著作権処理情報の一部の情報）である場合に、記録装置はコンテンツを記録媒体に記録する。
【００７７】
また、記録媒体が著作権処理情報を保持していない場合には、記録装置は、記録媒体にコンテンツ２を複写せずに、図７のようなエラーメッセージを含むパネルを出力する。但し、エラーメッセージは、エラーである旨を示す情報のみが出力されても良い。なお、図７のボタンを押下した後の処理については、以下の他の実施の形態で詳細に説明する。
【００７８】
上記場合の第二の動作例は、以下の通りである。記録装置は、記録媒体が著作権処理情報を保持しているか否かを判断する。記録装置は、記録媒体が著作権処理情報を保持していると判断すれば、記録方法決定部５０３は装置側情報保持部５０１で保持されている装置側の著作権処理情報を取得する。そして、記録方法決定部５０３は、媒体側の著作権処理情報と装置側の著作権処理情報が一定の関係の場合に、コンテンツ２を記録媒体に複写する。この複写は、単純にコンテンツ２を記録媒体に複写するものとする。一方、両データが一定の関係にない場合には、コンテンツ２の一部を記録媒体に複写する。コンテンツ２の一部の「一部」の態様については、実施の形態１で述べたのと同様に、種々考えられる。
【００７９】
上記場合の第三の動作例は、以下の通りである。記録装置は、記録媒体が著作権処理情報を保持していると判断し、かつ、媒体側の著作権処理情報と装置側の著作権処理情報が一定の関係の場合に、コンテンツ２を記録媒体に単純に複写する。一方、両データが一定の関係にない場合には、コンテンツ２を暗号化したのち、当該暗号化したコンテンツ２を記録媒体に複写する。
【００８０】
以上、本実施の形態によれば、記録媒体の著作権処理情報と記録装置が保持している著作権処理情報が一定の関係にある場合にのみ通常の複写を許すことにより、著作権処理が適切にできる。
【００８１】
なお、本実施の形態において、記録装置が保持している著作権処理情報は一つであった。かかる場合は、記録装置が保持するすべてのコンテンツの著作権処理情報は共通であるが、コンテンツ毎に著作権処理情報を管理しても良い。
【００８２】
なお、コンテンツ毎に著作権処理情報を管理する、とはコンテンツを識別するコンテンツ識別子毎に著作権情報を保持していても良いし、コンテンツの種類毎に著作権情報を保持していても良い。コンテンツの種類とは、音楽データ（ＷＡＶファイルなど）、テキストデータ、動画データ、ｍｐｅｇなどのマルチメディアデータなどの種類であったり、コンテンツの所有者を示す情報に基づいてグループ分けしたものであったり、コンテンツサイズに基づいてグループ分けしたものであったり、コンテンツの属性値に基づいてグループに分けたものであれば何でも良い。
【００８３】
コンテンツ毎に著作権処理情報を管理する場合には、記録装置は、複写するコンテンツの著作権処理情報と記録媒体の著作権処理情報とに基づいて複写するか否かを決定する、または複写する方法を決定する。
【００８４】
また、コンテンツの種類毎に著作権情報を保持する場合は、記録装置は、複写するコンテンツ種類に対応する著作権処理情報と記録媒体の著作権処理情報とに基づいて複写するか否かを決定する、または複写する方法を決定する。
【００８５】
また、上記の動作（特に、図６のフローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【００８６】
さらに、本実施の形態において、コンテンツのコピーについて説明したが、コンテンツを移動する場合にも同様の処理をしても良い。
【００８７】
（実施の形態３）
図８は、本発明における送受信システムの構成図を示す。送受信システムは、送信装置８０１と受信装置８０２を有する。ここで、送信とは、放送などの１対多のデータ送信でも良いし、ネットワークを利用した１対１のデータ送信でも良い。
【００８８】
送信装置８０１は、データ保持部８０１１とデータ送信部８０１２を有する。データ保持部８０１１は、送信するコンテンツと当該コンテンツの著作権処理情報を対にしたデータ群を１組以上保持している。データ保持部８０１１は、ハードディスクやＣＤ−ＲＯＭや半導体メモリなどデータを蓄積できる媒体である。
【００８９】
データ送信部８０１２は、データ保持部８０１１が保持しているコンテンツと当該コンテンツの著作権処理情報を対にして送信する。データ送信部８０１２は、例えばモデムとドライバなどで実現される。データ送信部８０１２は、既知のデータ放送手段で実現しても良い。
【００９０】
受信装置８０２は、第一チューナー８０２１、第二チューナー８０２２、コンテンツ蓄積部８０２３、命令受付部２０１、著作権情報取得部２０２、判断部２０３、記録方法決定部２０４、コンテンツ保持部２０５、コンテンツ取得部２０６、コンテンツ記録部２０７を有する。
【００９１】
第一チューナー８０２１、第二チューナー８０２２は、放送を受信する（送信装置は、放送する装置として、以下説明する。）。受信する放送波は、コンテンツと当該コンテンツの著作権処理情報を対に有する。
【００９２】
なお、第一チューナー８０２１は命令受付部２０１と連携しており、第二チューナー８０２２は命令受付部２０１と連携していない。つまり、第一チューナー８０２１はユーザがリモコン等で制御可能であるが、第二チューナー８０２２はユーザが制御できなくなっている。
【００９３】
コンテンツ蓄積部８０２３は、第一チューナー８０２１、第二チューナー８０２２が受信したコンテンツと著作権処理情報を対に蓄積する。この蓄積先は、コンテンツ保持部２０５である。
【００９４】
上記の送受信システムにより実現されるコンテンツ複写の動作の流れについて、以下に述べる。
【００９５】
まず、送信装置８０１の動作について説明する。データ送信部８０１２、データ保持部８０１１が保持するコンテンツと著作権処理情報の対のデータを取り出す。次に、データ送信部８０１２は、取り出したコンテンツと著作権処理情報の対のデータを送信する。
【００９６】
次に、受信装置８０２の動作について説明する。第一チューナー８０２１または第二チューナー８０２２が、送信装置８０１から送信されたコンテンツと著作権処理情報の対のデータを受信する。第一チューナー８０２１、第二チューナー８０２２のどちらが受信するかは、例えば、命令受付部２０１において受け付けた命令（ユーザがリモコンなどで発した命令）に基づいて決められる。但し、第一チューナー８０２１、第二チューナー８０２２のどちらが受信するかが予め決められており、固定でも良い。この場合、ユーザ制御不可の第二チューナー８０２２が受信するとすれば以下のような効果がある。つまり、著作権主張するコンテンツを常に放送し、受信装置で常にそのコンテンツを受信することにより、良いコンテンツが正当に配布される、ということになる。
【００９７】
次に、コンテンツ蓄積部８０２３は、コンテンツと著作権処理情報の対のデータをコンテンツ保持部２０５に蓄積する。
【００９８】
以上が、受信装置８０２におけるコンテンツと著作権処理情報の対のデータを蓄積する動作である。
【００９９】
次に、ユーザの指示に従って、受信装置８０２は記録媒体にコンテンツを記録する。その際の動作の例は、実施の形態１で述べた。
【０１００】
別の例を以下に述べる。
【０１０１】
今、図９のようなコンテンツと著作権処理情報の対のデータが送信装置８０１のデータ保持部８０１１に格納されているとする。コンテンツと著作権処理情報の対のデータは、それらのデータを識別する「ＩＤ」をも対に有する。
【０１０２】
「ＩＤ＝１」の著作権処理情報は、３ｂｉｔからなり、「１」「１」「１」である。上位１ｂｉｔの「１」は、「映画ＡＢＣ」というコンテンツは著作権主張するコンテンツであることを示す。残る２ｂｉｔ「１１」は、著作権の主張レベルを示す。コンテンツを複写等する場合の著作権主張レベルが大きい値であるほど、著作権を強く主張することを意味し、通常、複写等する場合の料金が高くなる。
【０１０３】
従って、「ＩＤ＝２」のコンテンツ「ニュースＸ」は、著作権処理情報の１ｂｉｔ目が「０」なので、著作権主張しない（複写などが無料で自由にできる。）ことを意味する。
【０１０４】
また、「ＩＤ＝３」のコンテンツ「音楽Ｙ」は、著作権主張し、その主張レベルは「０１」であることを示す。つまり、コンテンツ「音楽Ｙ」は、「映画ＡＢＣ」より著作権主張レベルは低く、通常低額で複写等が可能である。
【０１０５】
上述した３つのコンテンツおよび著作権処理情報が送信され、受信装置のコンテンツ保持部２０５に蓄えられたとする。
【０１０６】
かかる状況において、受信装置８０２のコンテンツを記録媒体に記録する動作を図１０に示すフローチャートを用いて説明する。
【０１０７】
（ステップ１００１）
命令受付部２０１が、コンテンツの記録命令の入力を受け付けたか否かを判断する。命令を受け付ければステップＳ１００２に行き、命令を受け付けなければステップＳ１００１に戻る。なお、記録命令は、「ｃｏｐｙ  コンテンツ識別子  ｔｏ  記録媒体識別子」などであり、コンテンツ識別子を含む。
【０１０８】
（ステップ１００２）
コンテンツ取得部２０５が命令中に含まれるコンテンツ識別子を取得する。
【０１０９】
（ステップ１００３）
コンテンツ取得部２０５がコンテンツ識別子に対応する著作権処理情報を、コンテンツ保持部２０５から取得する。
【０１１０】
（ステップ１００４）
コンテンツ記録部２０７が、ステップ１００３で取得した著作権処理情報が有する著作権処理されたか否かを示す情報である著作権処理可否情報から、コンテンツ識別子で識別されるコンテンツが著作権処理の必要なコンテンツか否かを判断する。著作権処理が必要であればステップ１００５に行き、著作権処理が必要でなければステップＳ１００７に飛ぶ。
【０１１１】
（ステップ１００５）
コンテンツ記録部２０７が命令中に含まれる記録媒体識別子で識別される記録媒体の著作権処理情報を取得する。なお、媒体には、著作権処理情報が予め記録されている。また、著作権処理情報は、例えば、著作権処理された媒体であるか否かを示す情報と、著作権処理のレベルを示す情報を含むとする。
【０１１２】
（ステップ１００６）
コンテンツ記録部２０７が、ステップ１００３で取得した著作権処理情報とステップ１００５で取得した記録媒体の著作権処理情報に基づいて、コンテンツを記録しても良いか否かを判断する。記録してもよければステップＳ１００７に行き、記録しないとの判断の場合は、ステップＳ１００８に飛ぶ。
【０１１３】
（ステップ１００７）
コンテンツ記録部２０７が、コンテンツを記録媒体に記録する。
【０１１４】
（ステップ１００８）
コンテンツ記録部２０７が、予め格納されているエラーメッセージを出力する。
【０１１５】
以上、受信装置８０２におけるコンテンツ記録の一般的な動作について述べた。
【０１１６】
次に具体的な動作について述べる。今、図１０に示すコンテンツを図１１に示す著作権処理情報を有する種々の記録媒体にコンテンツを複写する場合の動作について説明する。
【０１１７】
図１１に示す著作権処理情報は、３ｂｉｔからなる。上位１ｂｉｔは、著作権処理されているか否かを示す。上位１ｂｉｔが「１」であれば著作権処理されており、何らかの著作権主張されるコンテンツを格納できる。上位１ｂｉｔが「０」であれば著作権処理されておらず、著作権主張しないコンテンツのみを格納できる。
【０１１８】
次の２ｂｉｔは、著作権処理のレベルを示す情報であり、値が大きいほど、例えば高度に著作権処理されている。（値が小さいほど、高度に著作権処理されている、としても良い。）高度に著作権処理されている、というのは、記録媒体の製造業者、販売業者などが著作権団体などに高額の費用を支払っており、強く著作権主張するコンテンツも蓄積できる、とする。
【０１１９】
図１１では、４つの記録媒体を考慮する。
【０１２０】
媒体１、媒体３、媒体４は著作権処理されている。最初の１ｂｉｔが「１」だからである。一方、媒体２は著作権処理されていない。従って、媒体１、媒体３、媒体４のみ著作権主張するコンテンツを複写し得る。一方、媒体２に複写できるコンテンツは、例えば「ニュースＸ」のように著作権主張しないコンテンツのみである。
【０１２１】
次に、著作権処理のレベルを見ると、媒体１は「１１」、媒体３は「１０」、媒体４は「００」である。
【０１２２】
今、「記録媒体の著作権処理のレベル＞＝コンテンツの著作権主張レベル」という一定の関係を満たす場合のみコンテンツの記録が可能である、とする。
【０１２３】
すると、「映画ＡＢＣ」は媒体１にのみ複写され得、「音楽Ｙ」は媒体１、媒体３に複写され得る。一方、媒体４は、著作権処理のレベルが低いので、著作権主張のレベルの高いコンテンツを格納できない。
【０１２４】
以上、本実施の形態によれば、コンテンツと著作権処理情報を対に送信する送信装置と、それを受信して記録媒体に記録し得る受信装置を有する送信システムにより、送信（放送も含む）されるコンテンツの著作権処理を適切に行うことができる。
【０１２５】
特に、コンテンツの著作権主張のレベルと、記録媒体の著作権処理のレベルとを考慮することにより、木目細かく著作権処理ができる。
【０１２６】
なお、上記では、「記録媒体の著作権処理のレベル＞＝コンテンツの著作権主張レベル」という一定の関係を満たす場合のみコンテンツの記録が可能であったが、これは一例であり、「記録媒体の著作権処理のレベル＝コンテンツの著作権主張レベル」の場合のみ、コンテンツの記録が可能である、としても良い。その他、一定の関係とは、種々考えられる。
【０１２７】
また、本実施の形態で述べた送信装置、または受信装置の動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【０１２８】
また、本実施の形態において、コンテンツのコピーについて説明したが、コンテンツを移動する場合にも同様の処理をしても良い。
【０１２９】
（実施の形態４）
次に、図７のパネルが表示されたのち、ネットワークを利用した著作権処理を行う動作について述べる。
【０１３０】
まず、当該処理を行う記録システムの構成を示すブロック図を図１２に示す。
【０１３１】
記録システムは、記録装置１２１とサーバ装置１２２を有する。
【０１３２】
記録装置１２１は、コンテンツを記録する。サーバ装置１２２は、記録装置１２１から著作権処理のための情報を受け付けて、著作権処理を行った後、その結果を記録装置１２１に返送する。著作権処理とは、著作権が主張されるコンテンツの複写を許すための課金処理などを言う。
【０１３３】
記録装置１２１は、命令受付部２０１、著作権情報取得部２０２、判断部２０３、記録方法決定部２０４、コンテンツ保持部２０５、コンテンツ取得部２０６、コンテンツ記録部２０７、パネル表示部１２１１、入力情報受付部１２１２、入力情報送信部１２１３、結果受信部１２１４、結果出力部１２１５を有する。
【０１３４】
パネル表示部１２１１は、判断部２０３での判断結果が、著作権処理情報が存在しないとの判断の場合に、予め格納された著作権処理のためのパネルを表示する。パネル表示部１２１１は、通常、ソフトウェアとＣＰＵで実現される。なお、パネルを構成する情報は、例えば、ＨＴＭＬなどで記載され、記録装置が保持しているハードディスクなどの記録媒体に記録されている。
【０１３５】
入力情報受付部１２１２は、判断部２０３での判断結果が、著作権処理情報が存在しないとの判断の場合に、著作権処理をするために必要な情報である入力情報の入力を受け付ける。入力情報受付部１２１２は、通常、ソフトウェア（例えば、キーボードドライバやマウスドライバなど）とＣＰＵで実現される。
【０１３６】
入力情報送信部１２１３は、入力情報受付部１２１２で受け付けた入力情報を送信する。入力情報送信部１２１３は、例えば、モデムとそのドライバーソフトで実現される。なお、送信とはネットワーク送信が好ましいが、ＣＡＴＶや衛星などを用いた放送などによるデータ伝達でも良い。
【０１３７】
結果受信部１２１４は、サーバ装置１２２で著作権処理された結果を受信する。結果受信部１２１４は、通常、ネットワーク受信であるが、放送受信でも良い。結果受信部１２１４は、モデムとそのドライバーソフト等で実現され得る。
【０１３８】
結果出力部１２１５は、結果受信部１２１４が受信した結果を出力する。結果出力部１２１５は、通常、ディスプレイを含み、ディスプレイとそのドライバーソフト等で実現され得る。但し、この出力とは、印字や送信も含む。送信とは、他の装置への結果の送信を言う。
【０１３９】
上記記録装置１２１の動作について、図１３のフローチャートを用いて説明する。なお、図１３のフローチャートは、判断部２０３で記録不可であるとの判断がなされてからの処理を説明する。判断部２０３での記録可か不可の判断処理については、既に説明済みである。
【０１４０】
（ステップＳ１３０１）
パネル表示部１２１１は、入力情報の入力を促し、入力した情報の送信を促すパネルを表示する。なお、パネルの表示までは、例えば、詳細には以下の処理を行う。パネルを構成するための情報であるパネル情報（パネル情報は、例えば、ＨＴＭＬで記載されている。）を読み出し、パネル情報を解釈実行し、パネルを構成して、ディスプレイに出力する。
【０１４１】
（ステップＳ１３０２）
入力情報受付部１２１２が、入力情報を受け付けたか否かを判断する。入力情報を受け付ければステップＳ１３０３に行き、入力情報を受け付けなければステップＳ１３０２に戻る。
【０１４２】
（ステップＳ１３０３）
入力情報受付部１２１２が、送信指示を受け付けたか否かを判断する。送信指示を受け付けた場合はステップ１３０４に行き、受け付けていない場合はステップ１３０３に戻る。送信指示は、例えば、送信ボタンの押下によりなされる。
【０１４３】
（ステップＳ１３０４）
入力情報送信部１２１３は、入力情報を送信する。
【０１４４】
以上、記録装置１２１が、入力情報を送信するまでの処理について説明した。次に、記録装置１２１が、サーバ装置１２２から入力情報の処理結果を受け取って、その処理を行う動作について、図１４のフローチャートを用いて説明する。
【０１４５】
（ステップＳ１４０１）
結果受信部１２１４は、サーバ装置１２１の入力情報の処理結果を示す情報である結果情報を受信したか否かを判断する。結果情報を受信すればステップＳ１４０２に行き、結果情報を受信していなければステップＳ１４０１に戻る。
【０１４６】
（ステップＳ１４０２）
結果出力部１２１５は、結果情報を出力する。この出力は、通常、ディスプレイに出力する。
【０１４７】
（ステップＳ１４０３）
記録方法決定部２０４は、結果情報に基づく記録方法を決定する。
【０１４８】
（ステップＳ１４０４）
コンテンツ記録部２０７は、ステップＳ１４０３で決定した記録方法に基づく記録処理を行う。この記録処理には、何もしない「ｎｏｐ」も含む。
【０１４９】
以上、記録装置１２１、サーバ装置１２２の著作権処理、およびコンテンツ記録の動作について説明した。
【０１５０】
以下、具体的な動作について、例を挙げて説明する。
【０１５１】
図７のパネルが表示された状態で、「ＹＥＳ」ボタンを押下すると、図１５のようなパネルが表示される。ここで、図１５のパネルの「クレジット番号」項目と「パスワード」項目に適切なデータを入力することにより、コンテンツ２を複写する権利をオンラインショッピングで購入できる。つまり、これらの操作により、記録装置はコンテンツ２を記録媒体に記録する。
【０１５２】
さらに具体的には、記録装置とサーバ装置が通信して上記の動作を実現する。サーバ装置は、図１６に示すような動作を行い、サーバ装置と通信する記録装置は、図１７に示すような動作を行う。
【０１５３】
（ステップＳ１６０１）
クレジット番号とパスワードを有するデータを受信したか否かを判断する。データを受信していればステップＳ１６０２に行き、受信していなければステップＳ１６０１に戻る。
【０１５４】
（ステップＳ１６０２）
サーバ装置は、予め管理している個人情報に、受信したデータを適合させて個人認証を行う。
【０１５５】
（ステップＳ１６０３）
サーバ装置は、受信したデータから、データ送信してきたユーザが登録されている適正な個人か否かを判断する。適正な個人であればステップＳ１６０４に行き、適正な個人でなければステップＳ１６０５に行く。
【０１５６】
（ステップＳ１６０４）
複写可能である旨を記録装置に送信する。
【０１５７】
（ステップＳ１６０５）
クレジット番号等を用いて課金処理を行う。この課金処理は、通常のクレジットカードを利用した課金処理である。なお、この課金処理の結果、著作権者または著作権管理団体に適正な料金が支払われる。
【０１５８】
（ステップＳ１６０６）
複写不可である旨を記録装置に送信する。
【０１５９】
以下、記録装置の動作について説明するフローチャート（図１７）について説明する。
【０１６０】
（ステップＳ１７０１）
クレジット番号とパスワードを有するデータを送信する。なお、データ送信は、送信ボタンの押下により実現される。
【０１６１】
（ステップＳ１７０２）
サーバ装置から信号を受信したか否かを判断する。信号を受信すればステップＳ１７０３に行き、信号を受信しなければステップＳ１７０２に戻る。
【０１６２】
（ステップＳ１７０３）
受信した信号が複写可能を示す信号か否かを判断する。複写可能である旨を示す信号であればステップＳ１７０４に行き、複写可能を示す信号でなければステップＳ１７０５に行く。
【０１６３】
（ステップＳ１７０４）
コンテンツを記録媒体に記録する。
【０１６４】
（ステップＳ１７０５）
クレジット番号またはパスワードが間違っている旨を示すエラーメッセージを出力する。
【０１６５】
以上、本実施の形態において、著作権処理が不十分である場合に、その場でネットワーク等を利用して著作権処理を行って、コンテンツをそのまま記録媒体に記録する処理（これを追認処理と言う。）について述べた。
【０１６６】
なお、本実施の形態において、結果情報に基づいて記録方法を決定した（図１４のステップＳ１４０３参照）。但し、結果情報は入力情報に基づいてサーバ装置１２２で作られる情報であるので、結果情報に基づくということは、入力情報に基づく、ということと同様である。つまり、記録方法の決定は、直接的か間接的かの違いはあるものの、結果情報に基づいてもなされるし、入力情報に基づいてもなされる。さらに、サーバ装置１２２からの結果情報を待たずして、記録装置１２１で、入力情報に直接的に基づいて記録方法を決定しても良い。この場合、サーバ装置１２２からの結果情報の送信を待たずにコンテンツの記録処理を開始できるので、コンテンツ記録が高速にできるという効果がある。
【０１６７】
また、本実施の形態において、パネル表示部１２１１は必須ではない。パネルの表示はなくても、入力情報の入力があり、入力された入力情報が送信されれば良い。また、結果情報の受信（結果受信部）や出力（結果出力部）も必須ではない。記録装置が入力情報に基づいて、記録方法を決定すれば良いからである。
【０１６８】
また、本実施の形態において、実施の形態１の例に対して、上述の追認処理を行う例を中心について述べたが、実施の形態２，３においても同様の追認処理ができる。つまり、実施の形態２，３において、そのままコンテンツを記録できない場合（記録が全くできない場合、コンテンツの一部しか記録できない場合、コンテンツが暗号化されて記録される場合など）において、上述の追認処理を行うことにより、コンテンツをそのまま全部記録できるようになる。もしくは、コンテンツの記録できる範囲が広がる（全くできなかったのが、一部できるようになる、など）。
【０１６９】
従って、この追認処理により、以下のような記録装置の構成が実現できる。
【０１７０】
コンテンツを記録媒体に記録する記録装置であって、前記記録媒体に著作権処理情報が存在するか否かを判断する判断部と、前記判断部での判断結果が、著作権処理情報が存在するとの判断の場合のみ、前記コンテンツを前記記録媒体に記録するコンテンツ記録部と、前記判断部での判断結果が、著作権処理情報が存在しないとの判断の場合に、著作権処理をするために必要な情報である入力情報の入力を受け付ける入力情報受付部と、前記入力情報受付部で受け付けた入力情報を送信する入力情報送信部とを具備する記録装置。
【０１７１】
コンテンツを記録媒体に記録する記録装置であって、著作権処理情報を保持している装置側情報保持部と、前記記録媒体に記録されている著作権処理情報を取得する媒体側情報取得部と、前記装置側情報保持部で保持している著作権処理情報と、前記媒体側情報取得部で取得した著作権処理情報とに基づいてコンテンツを記録するか否かを判断する記録判断部と、前記記録判断部での判断結果が記録するとの判断の場合のみ、前記コンテンツを前記記録媒体に記録するコンテンツ記録部と、前記記録判断部での判断結果が、記録しないとの判断の場合に、著作権処理をするために必要な情報である入力情報の入力を受け付ける入力情報受付部と、前記入力情報受付部で受け付けた入力情報を送信する入力情報送信部を具備する記録装置。
【０１７２】
コンテンツを記録媒体に記録する記録装置であって、前記記録媒体に著作権処理情報が存在するか否かを判断する判断部と、前記判断部での判断結果に基づいてコンテンツの記録方法を決定する記録方法決定部と、前記記録方法決定部の決定に基づいて前記コンテンツを前記記録媒体に記録するコンテンツ記録部と、前記判断部での判断結果が、著作権処理情報が存在しないとの判断の場合に、著作権処理をするために必要な情報である入力情報の入力を受け付ける入力情報受付部と、前記入力情報受付部で受け付けた入力情報を送信する入力情報送信部と、を具備し、前記記録方法決定部が、前記入力情報送信部が送信した入力情報に基づいて記録方法を決定することを特徴とする記録装置。
【０１７３】
さらに、上記の動作（特に、図１３、図１４、図１６、図１７のフローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【０１７４】
（実施の形態５）
図１８は、本発明における情報処理装置１８１の構成を示すブロック図である。
【０１７５】
本情報処理装置１８１は、著作権処理情報受付部１８１１と著作権処理情報記録部１８１２とを有する。
【０１７６】
著作権処理情報受付部１８１１は、著作権処理情報を受け付ける。この「受け付け」とは、著作権情報の入力の受け付けや、メモリ上にある著作権情報を読み出す処理や外部から通信や放送などの媒体により著作権処理情報を受信する処理などが該当する。著作権処理情報受付部１８１１は、例えば、キーボードとそのドライバーソフトェアで実現され得る。また、著作権処理情報受付部１８１１は、モデムとそのドライバーソフト、チューナーとそのドライバーソフトで実現され得る。
【０１７７】
著作権処理情報記録部１８１２は、著作権処理情報受付部１８１１が受け付けた著作権処理情報を記録媒体１８２に記録する。記録媒体１８２は、ＣＤ−ＲＯＭなどの光ディスクや、ハードディスクなどの磁気ディスクや、半導体メモリなど、情報を格納できるものであれば何でも良い。
【０１７８】
著作権処理情報記録部１８１２は、情報を記録するためのソフトウェアと記録するハードウェア等から実現され得る。但し、著作権処理情報記録部１８１２に、情報を記録するハードウェアを含まなくても良く、記録指示の命令を有するソフトウェアのみが含まれる、と考えても良い。また、著作権処理情報記録部１８１２は、著作権処理情報を、記録媒体中の予め決められている領域に記録するのが望ましい。予め決められた領域とは、例えば、コンテンツを記録する領域とは別領域である。その領域は、例えば、ＤＶＤ−Ｒの「Ｒ−Ｉｎｆｏｒｍａｔｉｏｎ  ａｒｅａ」などの記録管理情報のために用意されている領域に記録される。
【０１７９】
以下、情報処理装置１８が記録媒体１８２に著作権処理情報を記録する動作について、フローチャート（図１９）を参照して説明する。
【０１８０】
（ステップＳ１９０１）
著作権処理情報受付部１８１１は、著作権処理情報を受け付けたか否かを判断する。受け付ければステップＳ１９０２に行き、受け付けなければステップＳ１９０１に戻る。
【０１８１】
（ステップＳ１９０２）
著作権処理情報記録部１８１２は、受け付けた著作権処理情報を記録媒体１８２に記録する。
【０１８２】
具体的には、著作権処理情報とは、例えば、図４に示す構造を有する情報である。また、著作権処理情報が記録される記録媒体は、例えば、書き換え型の光ディスク（ＤＶＤなど）である。そして、著作権処理情報は、例えば、ＤＶＤ−Ｒの「Ｒ−Ｉｎｆｏｒｍａｔｉｏｎ  ａｒｅａ」と言われる領域に記録されている。但し、「Ｒ−Ｉｎｆｏｒｍａｔｉｏｎ  ａｒｅａ」は著作権処理情報が書き込まれる例であって、他の領域であっても良い。なお、著作権処理情報が書き込まれる領域は、コンテンツが書き込まれる領域と区別できる別領域であることが望ましい。別領域の例として、「Ｒ−Ｉｎｆｏｒｍａｔｉｏｎ  ａｒｅａ」などの記録装置にとって必要な記録管理情報のために用意されている領域がある。
【０１８３】
以上、本実施の形態によれば、著作権処理情報を記録媒体に記録でき、上記で述べたように著作権保護に寄与する。
【０１８４】
なお、上記の動作（特に、フローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【０１８５】
（実施の形態６）
以下に、上記実施の形態における著作権処理情報の記録に対する課金料金を算出する情報処理装置について説明する。
【０１８６】
本情報処理装置のブロック図を図２０に示す。情報処理装置は、著作権処理情報取得部２００１、料金情報格納部２００２、課金料決定部２００３、課金情報格納部２００４、および課金情報記録部２００５を有する。
【０１８７】
著作権処理情報取得部２００１は、著作権処理情報を取得する。著作権処理情報の取得は、実施の形態５で述べた情報処理装置が著作権処理情報を記録する際に、本情報処理装置に当該著作権処理情報が送信されることにより取得しても良いし、実施の形態５で述べた情報処理装置と本情報処理装置が一体となっており、実施の形態５の情報処理装置の著作権処理情報受付部から取得しても良い。著作権処理情報取得部２００１は、通常、ソフトウェアで実現され得るが、専用の電子回路を用いて実現しても良い。
【０１８８】
料金情報格納部２００２は、課金料金に関する情報である課金料金情報を格納している。料金情報格納部２００２は、ハードディスクやＣＤ−ＲＯＭなどの記録媒体で実現され得る。料金情報格納部２００２における格納とは、キャッシュやメインメモリなどにおける一時的な格納も含む。また、課金料金情報は、通信手段や放送手段や記録媒体を経由して、外部から取得したものであっても良い。
【０１８９】
課金料決定部２００３は、課金料を含む情報である課金情報を決定（生成）する。課金料決定部２００３は、通常、ソフトウェアで実現され得る。
【０１９０】
課金情報格納部２００４は、課金情報を格納している。課金情報格納部２００４は、ハードディスクやＣＤ−ＲＯＭなどの記録媒体で実現され得る。課金情報格納部２００４における格納とは、キャッシュやメインメモリなどにおける一時的な格納も含む。
【０１９１】
課金情報記録部２００５は、課金料決定部２００３が決定した課金情報を課金情報格納部２００４に記録する。課金情報記録部２００５は、記録媒体に記録する装置とそのソフトウェアドライバにより実現され得るが、記録する装置は別として、情報を記録する命令を記載したソフトウェアから実現され得る、としても良い。
【０１９２】
以下、情報処理装置２０が課金処理をする動作について、フローチャート（図２１）を参照して説明する。
【０１９３】
（ステップＳ２１０１）
著作権処理情報取得部２０１が著作権処理情報を取得したか否かを判断する。情報を取得すればステップＳ２１０２に行き、取得しなければステップＳ２１０１に戻る。
【０１９４】
（ステップＳ２１０２）
課金料決定部２０３が、料金情報格納部２０２から料金情報を読み出す。
【０１９５】
（ステップＳ２１０３）
課金料決定部２０３が、ステップＳ２１０１で取得した著作権処理情報と、ステップＳ２１０２で読み出した料金情報に基づいて課金料を決定し、課金情報を構成する。
【０１９６】
（ステップＳ２１０４）
課金情報記録部２０５が、課金情報格納部２０４に課金情報を記録する。
【０１９７】
次に、本情報処理装置の具体的な動作について説明する。
【０１９８】
今、図２２に示すような料金情報が料金情報格納部２０２に格納されている、とする。そして、図４に示すような著作権処理情報が著作権処理情報取得部２０１により取得される、とする。具体的には、著作権処理情報は、「１０１００００１」の８ｂｉｔであるとする。つまり、著作権処理判断情報は「１」、著作権処理レベルは「０１」、著作権処理協会識別子は「００００１」であるとする。
【０１９９】
かかる場合、課金料決定部２０３は、図２２の課金料金情報と読み出した著作権処理情報から著作権処理協会識別子は「００００１」で識別される著作権処理協会に、金額「￥５０」を与える、との決定をする。そして、課金料決定部２０３は、図２３に示すような「著作権処理協会識別子」と「金額」からなる課金情報を生成する。
【０２００】
次に、課金情報記録部２０５が、課金情報格納部２０４に上記の課金情報「００００１」と「￥５０」を記録する。
【０２０１】
図２４に示すのが、課金情報格納部２０４に記録されている著作権処理協会識別子で識別される団体毎の収入金額である。課金情報格納部２０４に記録されているレコードは、「著作権処理協会識別子」と「金額」の属性値を有する。
【０２０２】
課金情報記録部２０５は、課金情報格納部２０４に課金情報を記録する場合に、記録する課金情報が有する「著作権処理協会識別子」のレコードに、課金情報が有する「金額」を追加する金額を上書きする。従って、課金情報格納部２０４に格納されている課金情報が図２４の状態である場合に、課金情報「００００１」、「￥５０」を記録する場合には、図２５のように著作権処理識別子「００００１」のレコードの金額が「１００００」から「１００５０」になる。
【０２０３】
以上、本実施の形態によれば、著作権処理情報を記録媒体に記録する場合の課金料金の処理について述べた。かかる処理により、適切に著作権料が徴収でき、適切な著作権保護が図られる。
【０２０４】
なお、本実施の形態において、著作権処理情報は、図４に示す構造を有していたが、それに限られない。例えば、著作権処理情報は、著作権処理判断情報だけから構成されても良い。かかる場合、著作権処理情報取得部２０１は、著作権処理判断情報が「１」（つまり、著作権処理されている）の情報を取得したとき、課金料決定部２０３は、一定の金額の著作権料（この情報は、料金情報格納部２０２に格納されている）に課金料を決定し、課金情報記録部２０５が課金料金（課金情報）を課金情報格納部２０４に記録する。そして、一定の著作権団体に、適切な著作権料金が支払われる。
【０２０５】
また、本実施の形態における課金情報を生成する処理は、上記で説明した処理に限らない。
【０２０６】
また、著作権処理情報の取得するタイミングは問わない。つまり、定期的に著作権処理情報を取得しても良いし、ユーザの取得する何らかのトリガーにより著作権処理情報を取得しても良い。さらに、記録媒体が著作権処理されていない、と情報処理装置が判断した場合に、外部から著作権処理情報を取得するようにしても良い。
【０２０７】
さらに、上記の動作（特に、フローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【０２０８】
（実施の形態７）
図２６は、本発明における情報処理システムの構成図である。本情報処理システムは、情報処理装置２６１と送信装置２６２を有する。
【０２０９】
情報処理装置２６１は、コンテンツを記録媒体に記録する情報処理装置であって、著作権情報取得部２０２と、判断部２０３と、コンテンツ記録部２０７と、著作権処理情報受付部２６１１と、著作権処理情報記録部２６１１とを有する。
【０２１０】
著作権情報取得部２０２は、記録媒体に記録されている著作権処理に関する情報である著作権処理情報を取得する。著作権情報取得部２０２は、通常、データを記録媒体から読み取るソフトウェアで実現され得るが、専用回路で実現しても良い。また、著作権処理情報取得部２０２に、例えば光ディスクレコーダーの光ピック等のハードウェアが含まれると考えても、含まれないと考えても良い。
【０２１１】
判断部２０３は、著作権処理情報に基づいてコンテンツを記録するか否かを判断する。
【０２１２】
コンテンツ記録部２０７は、判断部２０３での判断結果が記録するとの判断の場合にコンテンツを記録する。このコンテンツは、予め情報処理装置に格納されている、とする。予め格納とは、一時的な格納も含む。
【０２１３】
著作権処理情報受付部２６１１は、外部から記録媒体の著作権処理に関する情報である著作権処理情報を受け付ける。著作権処理情報受付部２６１１は、無線、または有線のネットワークや、放送により著作権処理情報を受け付ける。従って、著作権処理情報受付部２６１１は、モデムとそのドライバーソフト、チューナーとそのドライバーソフト等で実現され得る。
【０２１４】
著作権処理情報記録部２６１２は、前記著作権処理情報を記録媒体に記録する。著作権処理情報記録部２６１２は、通常、情報を記録するソフトウェアで実現されるが、専用回路（ハードウェア）で実現しても良い。また、著作権処理情報記録部２６１２に記録装置のハードを含んで考えても良い。
【０２１５】
以下、本情報処理装置の著作権処理情報を記録する動作について図２７のフローチャートを用いて説明する。
【０２１６】
（ステップＳ２７０１）
著作権処理情報受付部２６１１が著作権処理情報を受け付けたか否かを判断する。著作権処理情報を受け付ければステップＳ２７０２に行き、著作権処理情報を受け付けなければステップＳ２７０１に戻る。
【０２１７】
（ステップＳ２７０２）
著作権処理情報記録部２６１１は、著作権処理情報受付部２６１１が受け付けた著作権処理情報を記録媒体に記録する。
【０２１８】
以上、情報処理装置の動作について説明した。以下、送信装置の構成図を図２６に基づいて説明する。
【０２１９】
送信装置２６２は、著作権処理情報格納部２６２１と、著作権処理情報取得部２６２２と、著作権処理情報送信部２６２３とを有する。
【０２２０】
著作権処理情報格納部２６２１は、情報処理装置側の記録媒体に書き込む著作権処理情報を格納している。著作権処理情報格納部２６２１は、ハードディスクやＣＤ−ＲＯＭなどの情報を記録できる媒体であれば何でも良い。但し、著作権処理情報格納部２６２１は、メインメモリ、キャッシュ等の一時的な記録媒体でも良い。
【０２２１】
著作権処理情報取得部２６２２は、著作権処理情報格納部２６２１に格納されている著作権処理情報を取得する。著作権処理情報取得部２６２２は、通常、ソフトウェアで実現され得る。
【０２２２】
著作権処理情報送信部２６２３は、著作権処理情報取得部２６２２が取得した著作権処理情報を情報処理装置２６１に送信する。著作権処理情報送信部２６２３は、例えば、モデムとそのドライバーソフトで実現され得る。また、著作権処理情報送信部２６２３は、放送手段により実現しても良い。さらに、著作権処理情報送信部２６２３が通信手段による場合は、有線、無線を問わない。
【０２２３】
送信装置２６２が動作するタイミングは、人手によるトリガーでも良いし、自動的に行っても良い。自動的に行う技術として、例えば、既存ＯＳの自動トリガー機能やアクティブＤＢのトリガー機能等がある。この機能を用いると、毎月１回、送信装置２６２が情報処理装置２６１に著作権処理情報を送信する。
【０２２４】
以上、本実施の形態において、情報処理システムにより、著作権処理情報を書き換えることができる。従って、ダイナミックなシステムの運用で、著作権を保護することができる。
【０２２５】
なお、著作権処理情報記録部が著作権処理情報を記録する領域は予め決められている領域であることが好ましい。さらに、当該領域がコンテンツを格納する領域とは区別された領域であることが望ましい。さらに、例えば、著作権処理情報を記録する領域は、記録媒体がＤＶＤ−Ｒの場合、「Ｒ−Ｉｎｆｏｒｍａｔｉｏｎ  ａｒｅａ」と言われる領域である。
【０２２６】
また、本実施の形態において、送信装置２６２における著作権処理情報格納部２６２１に、著作権処理情報を送信する送信先を示す送信先識別子を著作権処理情報と対に管理していても良い。かかる場合、個別の装置毎に異なる著作権処理情報を記録できる。このような運用で、毎月、著作権処理情報を更新すると、例えば、別の手段（図示しない）により入金をした人が所有する予め決められた記録媒体に対して、定期的に著作権処理情報を更新し、一方、入金をしない人の記録媒体には著作権処理情報を更新しない（または、記録媒体に記録している著作権処理情報を削除する）ことにより、より適切な著作権保護が可能になる。
【０２２７】
また、本実施の形態において、判断部２０３は、著作権処理情報の有無によって、コンテンツを記録するか記録しないかの判断しかしなかったが、著作権処理情報の有無や著作権処理情報の内容に基づいて、暗号化したコンテンツを記録したり、コンテンツの一部のみを記録したりする方法で、著作権保護を図っても良い。かかる場合、情報処理装置は、記録媒体に記録されている著作権処理に関する情報である著作権処理情報を取得する著作権処理情報取得部と、著作権処理情報に基づいてコンテンツを記録するコンテンツ記録部と、外部から記録媒体の著作権処理に関する情報である著作権処理情報を受け付ける著作権処理情報受付部と、著作権処理情報を記録媒体に記録する著作権処理情報記録部とを具備することとなる。
【０２２８】
さらに、上記の動作（特に、フローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【０２２９】
（実施の形態８）
図２８は、本発明における送受信システムの構成図を示す。送受信システムは、送信装置８０１と受信装置２８０１とサーバ装置２８０２を有する。ここで、送信とは、放送などの１対多のデータ送信でも良いし、ネットワークを利用した１対１のデータ送信でも良い。
【０２３０】
受信装置２８０１は、第一チューナー８０２１、第二チューナー８０２２、コンテンツ蓄積部８０２３、命令受付部２０１、著作権情報取得部２０２、判断部２０３、記録方法決定部２０４、コンテンツ保持部２０５、コンテンツ取得部２０６、コンテンツ記録部２０７、著作権処理情報受付部２６１１、および著作権処理情報記録部２６１１を有する。
【０２３１】
また、サーバ装置２８０２は、実施の形態７の送信装置２６２と同様の構成であり、著作権処理情報格納部２６２１と、著作権処理情報取得部２６２２と、著作権処理情報送信部２６２３とを有する。
【０２３２】
以上の構成により、サーバ装置２８０２の著作権処理情報送信部２６２３から送信された著作権処理情報を情報処理装置２８０１の著作権処理情報受付部２６１１が受け付け、著作権処理情報記録部２６１１が著作権処理情報を記録媒体に記録する。この記録処理は、上記実施の形態７で述べた処理と同様であるので、ここでの詳細な説明は省略する。
【０２３３】
なお、著作権処理情報を記録する記録媒体は、情報を記録できるものであれば何でも良いが、本実施の形態ではテレビを想定しており、大容量のハードディスクなどが好ましい。
【０２３４】
また、著作権処理情報記録部が著作権処理情報を記録する領域は予め決められている領域であることが好ましい。さらに、当該領域がコンテンツを格納する領域とは区別された領域であることが望ましい。さらに、例えば、著作権処理情報を記録する領域は、記録媒体がＤＶＤ−Ｒの場合、「Ｒ−Ｉｎｆｏｒｍａｔｉｏｎ  ａｒｅａ」と言われる領域である。
【０２３５】
また、記録媒体がハードディスクの場合は、例えば、ハードディスクがパーティションで区切られており、あるパーティションの領域が著作権処理情報を記録する領域であり、当該領域がコンテンツを格納する領域とは区別された領域であることが好ましい。また、別の例として、記録媒体がハードディスクの場合、あるフォルダやあるファイルが著作権処理情報を記録するフォルダまたはファイルとして予め決まれており、当該フォルダや当該ファイルが一般ユーザからアクセスできないようになっている、または一般ユーザには見えないようになっているのが好ましい。
【０２３６】
また、本実施の形態において、サーバ装置２８０２における著作権処理情報格納部２６２１に、著作権処理情報を送信する送信先を示す送信先識別子を著作権処理情報と対に管理していても良い。かかる場合、個別の装置毎に異なる著作権処理情報を記録できる。このような運用で、毎月著作権処理情報を更新すると、例えば、別の手段（図示しない）により入金をした人が所有する予め決められた記録媒体に対して、定期的に著作権処理情報を更新し、一方、入金をしない人の記録媒体には著作権処理情報を更新しない（または、記録媒体に記録している著作権処理情報を削除する）ことにより、より適切な著作権保護が可能になる。
【０２３７】
以上、本実施の形態によれば、デジタルテレビ等の放送のコンテンツを記録する受信装置において、その受信装置が有する、または接続される記録媒体に著作権処理情報を記録することにより、ダイナミックなシステムの運用で、著作権を保護することができる。
【０２３８】
なお、本実施の形態において、サーバ装置２８０２の名称は、送信装置という名称にしても良い。サーバ装置２８０２という名称を用いたのは、送信装置８０１が本実施の形態におけるシステムで存在しているからである。
【０２３９】
また、著作権処理情報受付部２６１１は通信手段でも放送手段でも良いが、通信手段であることが好ましい。著作権処理情報は、個別の情報としてやりとりされるのが通常だからである。
【０２４０】
また、本実施の形態における受信装置は、記録方法決定部における記録方法に従って、コンテンツを記録媒体に記録する。この記録方法には、上述したように、記録する／しない、コンテンツをそのまま全て記録する／暗号化して記録する、またはコンテンツを全て記録する／コンテンツの一部だけ記録する、などの態様がある。従って、本実施の形態における受信装置（受信装置を「情報処理装置」と言い換えても良い。）は、以下の構成を有すると考え得る。つまり、情報処理装置（受信装置）は、コンテンツを受信する受信部と、記録媒体に記録された著作権処理情報を取得する著作権処理情報取得部と、著作権処理情報に基づいてコンテンツを記録するコンテンツ記録部と、外部から記録媒体の著作権処理に関する情報である著作権処理情報を受け付ける著作権処理情報受付部と、著作権処理情報を記録媒体に記録する著作権処理情報記録部とを具備する。
【０２４１】
さらに、上記の動作（特に、フローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【０２４２】
（実施の形態９）
図２９は、本発明における情報処理システムの構成を示すブロック図である。本情報処理システムは、情報処理装置２９１、送信装置２９２、および記録媒体２９３を有する。
【０２４３】
情報処理装置２９１は、著作権処理情報受付部１８１１、著作権処理情報記録部１８１２、指示情報受付部２９１１、および指示情報送信部２９１２を有する。
【０２４４】
指示情報受付部２９１１は、著作権処理情報の書き換え指示または記録指示に関する情報を含む情報である指示情報を受け付ける。指示情報受付部２９１１は、例えば、キーボードおよびそのソフトウェアドライバから実現され得る。また、パネルやメニューを用いて、ユーザに指示情報の入力を促す場合は、そのパネル情報の表示プログラムやマウスのドライバーソフトなどが、指示情報受付部２９１１の実現手段になり得る。
【０２４５】
指示情報送信部２９１２は、指示情報を外部に送信する。この外部とは、通常、送信装置２９２であるが、中継装置などがあり、間接的または人手等により、指示情報が送信装置２９２に行けば良い。指示情報送信部２９１２は、通常、無線、または有線の通信手段により実現され得る。例えば、モデムとドライバーソフトが該当する。但し、指示情報送信部２９１２は、放送手段でも良い。
【０２４６】
また、著作権処理情報受付部１８１１は、送信装置２９２から著作権処理情報を受け付けるが、この著作権処理情報は、指示情報に基づいて送信装置２９２から送信された情報である。
【０２４７】
送信装置２９２は、指示情報受信部２９２１、著作権処理情報生成部２９２２、および著作権処理情報送信部２９２３を有する。
【０２４８】
指示情報受信部２９２１は、指示情報送信部２９１２が送信した指示情報を受信する。指示情報受信部２９２１は、通常、無線または有線の通信手段により実現され得る。但し、指示情報受信部２９２１は、チューナーとそのドライバーソフトなどの放送手段で実現しても良い。
【０２４９】
著作権処理情報生成部２９２２は、指示情報受信部２９２１が受信した指示情報に基づいて著作権処理情報を生成する。著作権処理情報生成部２９２２は、通常、ソフトウェアで実現され得るが、専用回路（ハードウェア）で実現しても良い。著作権処理情報生成部２９２２における著作権処理情報の生成方法は、いくつか考えられ、詳細は先で述べる。
【０２５０】
著作権処理情報送信部２９２３は、著作権処理情報生成部２９２２が生成した著作権処理情報を情報処理装置２９１に送信する。著作権処理情報送信部２９２３は、通常、無線または有線の通信手段により実現され得る。但し、放送手段でも実現可能である。
【０２５１】
以下、情報処理装置２９１が、指示情報を受け付けて送信する動作について、図３０のフローチャートを用いて説明する。
【０２５２】
（ステップＳ３００１）
指示情報受付部２９１１は、指示情報を受け付けたか否かを判断する。指示情報を受け付ければステップＳ３００２に行き、指示情報を受け付けなければステップＳ３００１に戻る。
【０２５３】
（ステップＳ３００２）
指示情報送信部２９１２は、ステップＳ３００１で受け付けた指示情報を送信装置２９２に送信する。
【０２５４】
（ステップＳ３００３）
著作権処理情報受付部１８１１は、著作権処理情報を受信したか否かを判断する。著作権処理情報を受信すればステップＳ３００４に行き、著作権処理情報を受信しなければステップＳ３００３に戻る。
【０２５５】
（ステップＳ３００４）
著作権処理情報記録部１８１２は、ステップＳ３００３で受信した著作権処理情報を記録媒体２９３に記録する。
【０２５６】
以下、図３１を用いて、送信装置２９２が、指示情報を受信して、著作権処理情報を送信するまでの動作について説明する。
【０２５７】
（ステップＳ３１１）
指示情報受信部２９２１が指示情報を受信したか否かを判断する。指示情報を受信すればステップＳ３１２に行き、指示情報を受信しなければステップＳ３１１に戻る。
【０２５８】
（ステップＳ３１２）
著作権処理情報生成部２９２２が、ステップＳ３１１で受信した指示情報に基づいて著作権処理情報を生成する。
【０２５９】
（ステップＳ３１３）
著作権処理情報送信部２９２３は、ステップＳ３１２で生成した著作権処理情報を情報処理装置２９１に送信する。
【０２６０】
以下、本情報処理システムの具体的な動作について説明する。今、図３２に示すようなパネルが、情報処理装置２９１に表示されており、指示情報の入力をユーザに促している。
【０２６１】
そして、図３３に示すように、レベルを代入するフィールドに、ユーザが「２」（つまり、映画だけ記録できる記録媒体を作成する。）を代入し、「ＹＥＳ」ボタンを押下した場合、「２」という指示情報が情報処理装置２９１から送信装置２９２に送信される。
【０２６２】
そして、「２」という情報を受信した送信装置２９２は、「２」という指示情報に基づいて著作権処理情報を生成する。具体的には、例えば、以下のような処理で著作権処理情報を生成する。図３４に示すような「レベル」と著作権処理情報の対応表を持っており、「レベル」をキーにして著作権処理情報を検索する。今、レベルが「２」であるので「１１００００１０」という図３４の２番目のレコードの著作権処理情報が取得される。著作権処理情報「１１００００１０」の意味は、例えば、図４を用いて説明した意味と同様とする。なお、著作権処理情報の生成とは、著作権処理情報の検索処理であったが、他の処理でも良い。例えば、レベルの「２」は二進数で「１０」であるので、「１００」と「１０」を加えた「１１０」を著作権処理情報としても良い。かかる場合、著作権処理情報は、著作権処理判断情報と、著作権処理レベル情報のみからなることとなる。つまり、３ｂｉｔ目は著作権処理判断情報であり、下位２ｂｉｔは著作権処理レベル情報を示す。
【０２６３】
また、著作権処理情報の生成とは、レベル「１」でもレベル「２」でもレベル「３」でも、「１」のみの情報をつくり出す処理でも良い。この場合、著作権処理情報は、著作権処理判断情報のみからなり、「１」は著作権処理がなされたことを意味する。
【０２６４】
そして、上記生成された著作権処理情報が送信装置２９２から情報処理装置２９１に送信される。そして、著作権処理情報を受信した情報処理装置２９１は、著作権処理情報を記録媒体に記録する。
【０２６５】
この著作権処理情報を記録する領域は予め決められている領域であることが好ましい。さらに、当該領域がコンテンツを格納する領域とは区別された領域であることが望ましい。さらに、例えば、著作権処理情報を記録する領域は、記録媒体がＤＶＤ−Ｒの場合、「Ｒ−Ｉｎｆｏｒｍａｔｉｏｎ  ａｒｅａ」と言われる領域である。
【０２６６】
以上、本実施の形態によれば、ユーザ指示に基づいて、著作権処理情報を記録でき、適切な著作権保護が図られる。
【０２６７】
なお、本実施の形態における指示情報に、送信者を識別する識別情報を含んでも良い。識別情報とは、例えば、決済処理をするためのクレジットカードナンバーおよびパスワードなどがある。かかる場合、送信装置２９２は、識別情報に基づいて個人認証する個人認証部を具備し、著作権処理情報送信部は個人認証の結果に基づいて著作権処理情報を送信したり、送信しなかったりしても良い。
【０２６８】
具体的には、図３５に示すような、クレジットカードＮｏとパスワードとレベル（著作権処理のレベル）を有する指示情報が情報処理装置２９１から送信装置に送信される。そして、図３６に示すような個人認証するための表である個人認証管理表が個人認証部に予め格納されている。そして、個人認証部は、受信したクレジットカードＮｏとパスワードが、個人認証管理表に格納されているか否かをチェックして、格納されておれば著作権処理情報の生成、送信を行う。受信したクレジットカードＮｏとパスワードが、個人認証管理表に格納されているかいないかの処理のタイミングは問わない。つまり、その処理を著作権処理情報の生成前に行うか、著作権処理情報の生成後に行うか等は問わない。
【０２６９】
また、指示情報は、上述した情報に限られず、「金額」を示す情報でも良い。この「金額」の情報は、ユーザが著作権料として支払う金額を示す。かかる場合、例えば、著作権処理のレベルは金額に基づいて決められる。
【０２７０】
なお、上記の著作権処理情報を記録媒体への記録処理は、実施の形態５で述べた情報処理装置を改良するものであったが、他の実施の形態（実施の形態６から８など）の構成に、上記の記録処理を適用しても良いのは言うまでもない。
【０２７１】
また、本実施の形態によれば、情報処理装置２９１は、著作権処理情報受付部１８１１、著作権処理情報記録部１８１２、指示情報受付部２９１１、および指示情報送信部２９１２を有したが、指示情報受付部２９１１および指示情報送信部２９１２を、著作権処理情報受付部１８１１および著作権処理情報記録部１８１２と分離しても良い。例えば、指示情報受付部２９１１および指示情報送信部２９１２を有する情報処理装置が存在し、当該情報処理装置から指示情報を送信装置に送信し、当該送信装置から著作権処理情報受付部１８１１、著作権処理情報記録部１８１２を有する装置に著作権処理情報が送信される、というシステム構成が考えられる。かかる場合、指示情報受付部２９１１および指示情報送信部２９１２を有する情報処理装置は、例えば、携帯電話機能を有する通信装置であることが考えられる。
【０２７２】
さらに、上記の動作（特に、フローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【０２７３】
（実施の形態１０）
図３７は、本発明における情報処理システムの構成を示すブロック図である。情報処理システムは、送信装置３７１、情報処理装置１８１、および記録媒体１８２を有する。
【０２７４】
送信装置３７１は、著作権処理情報格納部３７１１、著作権処理情報取得部３７１２、著作権処理情報送信部３７１３、著作料決定部３７１４、著作権料集計部３７１５、および著作権料格納部３７１６を有する。
【０２７５】
著作権処理情報格納部３７１１は、著作権処理情報を格納している。著作権処理情報格納部３７１１は、ハードディスクや半導体メモリなどの情報を記憶できる媒体であれば何でも良い。
【０２７６】
著作権処理情報取得部３７１２は、著作権処理情報格納部３７１１に格納されている著作権処理情報を取得する。著作権処理情報格納部３７１１は、通常、ソフトウェアで実現され得る。
【０２７７】
著作権処理情報送信部３７１３は、著作権処理情報取得部３７１２が取得した著作権処理情報を送信する。著作権処理情報送信部３７１３は、無線または有線の通信手段で実現され得るが、放送手段で実現しても良い。
【０２７８】
著作料決定部３７１４は、著作権処理情報送信部３７１３が送信する著作権処理情報に基づいて著作権料金を決定する。但し、著作料決定部３７１４が著作料金を決定するタイミングは、著作権処理情報送信部３７１３が著作権処理情報を送信する前後を問わない。著作料決定部３７１４は、通常、ソフトウェアで実現され得るが、専用回路（ハードウェア）による実現を排除するものではない。
【０２７９】
なお、著作料決定部３７１４の著作料金の決定は、著作権処理レベル情報に基づいて異なる著作権料金を決定する、一律に決定する、など種々考えられる。
【０２８０】
著作権料集計部３７１５は、著作料決定部３７１４が決定した著作権料金を、著作権処理協会識別子毎に集計する。なお、著作権処理協会識別子は、著作権処理情報に含まれる情報であるとする。また、この集計結果のデータは、下記の著作権料格納部３７１６に格納される。著作権料集計部３７１５は、通常、ソフトウェアで実現され得るが、専用回路（ハードウェア）による実現を排除するものではない。
【０２８１】
著作権料格納部３７１６は、著作権料集計部３７１５が集計した結果の情報を格納している。著作権料格納部３７１６は、ハードディスクなどの情報を記録できる媒体であれば何でも良い。
【０２８２】
情報処理装置１８１は、著作権処理情報受付部１８１１と著作権処理情報記録部１８１２を有する。
【０２８３】
以下、送信装置３７１が著作権処理情報を送信して、著作料を決定等する動作について、図３８のフローチャートを用いて説明する。
【０２８４】
（ステップＳ３８０１）
著作権処理情報取得部３７１２は、著作権処理情報を送信するトリガーがあるか否かを判断する。トリガーがあればステップＳ３８０２に行き、トリガーがなければステップＳ３８０１に戻る。
【０２８５】
（ステップＳ３８０２）
著作権処理情報取得部３７１２は、著作権処理情報格納部３７１１に格納されている著作権処理情報を取得する。
【０２８６】
（ステップＳ３８０３）
著作権処理情報送信部３７１３は、ステップＳ３８０２で取得した著作権処理情報を送信する。
【０２８７】
（ステップＳ３８０４）
著作料決定部３７１４は、著作権処理情報送信部３７１３が送信する著作権処理情報に基づいて著作権料金を決定する。なお、送信する著作権処理情報に基づいて著作権料金を決定することと、ステップＳ３８０２で取得した著作権処理情報に基づいて著作権料金を決定することは、同じことである。なお、図３７では、著作料決定部３７１４は、著作権処理情報取得部３７１２から著作権処理情報を取得している。
【０２８８】
（ステップＳ３８０５）
著作権料集計部３７１５は、著作料決定部３７１４が決定した著作権料金を、著作権処理協会識別子毎に集計する。
【０２８９】
（ステップＳ３８０６）
著作権料集計部３７１５は、集計した情報を著作権料格納部３７１６に記録する。
【０２９０】
情報処理装置１８１が著作権処理情報を受信して、著作権処理情報を記録媒体１８２に記録する処理については既に説明したので、ここでの説明は省略する。
【０２９１】
以下、送信装置３７の著作権料決定等の動作について具体的に述べる。今、図２４に示すような「著作権処理協会識別子」と「金額」を対に有するレコードを複数格納する表が著作権料格納部３７１６に格納されている、とする。この「金額」は、「金額」の属性値と対になる「著作権処理協会識別子」で識別される著作権処理協会に支払われる著作権料である。また、図２２に示すような、「処理レベル」と「金額」を有するレコードを複数格納している表が、著作料決定部３７１４に格納されているとする。
【０２９２】
また、「処理レベル」が「１１」で、「著作権処理協会識別子」が「００１００」の著作権処理情報が著作権処理情報格納部３７１１に格納されているとする。
【０２９３】
かかる場合に、著作権処理情報取得部３７１２が著作権処理情報を取得して、著作権処理情報送信部３７１３が当該情報を送信する。
【０２９４】
そして、著作料決定部３７１４は、「処理レベル」が「１１」で、「著作権処理協会識別子」が「００１００」の著作権処理情報に基づいて著作料を決定する。つまり、処理レベルが「１１」であるので、図２２の表から金額が「￥１５０」と決定される。
【０２９５】
次に、著作権料集計部３７１５は、著作権処理情報が有する「著作権処理協会識別子」が「００１００」の「金額」の情報を図２４の表から取得する。この取得した「金額」は、「５０，０００」である。そして、著作権料集計部３７１５は、著作料決定部３７１４が決定した金額「￥１５０」と取得した金額「５０，０００」を加えて「５０，１５０」を算出する。そして、この「５０，１５０」を「著作権処理協会識別子」が「００１００」のレコードの「金額」の属性値として記録する。
【０２９６】
以上、本実施の形態において、送信する著作権処理情報に基づいて著作権料金を算出する処理、および著作権処理協会識別子毎に著作権料を集計する処理について述べた。かかる処理により、適切に著作権料が徴収でき、かつ徴収した著作権料が適切な団体に公平に分配され得る。
【０２９７】
なお、本実施の形態において、著作権処理情報が有する著作権処理レベル情報に基づいて異なる著作権料金を決定したが、一律に決定しても良い。また、レベルと金額の対応表により著作権料金を決定したが、何らかの算術式等により著作権料金を決定しても良い。
【０２９８】
また、本実施の形態において、著作権料金を、著作権処理協会識別子毎に集計したが、集計処理の方法はこれに限らない。具体的には、著作権処理情報に著作権処理協会識別子を含まない場合など、全体としての著作権料金を算出しても良い。
【０２９９】
さらに、本実施の形態で述べた送信装置の著作料決定部と著作権料集計部は分離されていても良い。つまり、著作権料集計部は必須ではない。
【０３００】
さらに、上記の動作（特に、フローチャートで説明した動作）は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【図面の簡単な説明】
【０３０１】
【図１】実施の形態１における記録システムの概念図
【図２】実施の形態１における記録装置の構成を示すブロック図
【図３】実施の形態１における記録装置の動作をフローチャート
【図４】実施の形態１における記録媒体に記録された著作権処理情報の例を示す図
【図５】実施の形態２における記録装置の構成を示すブロック図
【図６】実施の形態２における記録装置の動作を示すフローチャート
【図７】実施の形態２におけるエラーメッセージのパネルの表示例を示す図
【図８】実施の形態３における送受信システムの構成図
【図９】実施の形態３におけるコンテンツと著作権処理情報の対のデータ例を示す図
【図１０】実施の形態３における受信装置の動作を示すフローチャート
【図１１】実施の形態３における記録媒体に記録された著作権処理情報の例を示す図
【図１２】実施の形態４における行う記録システムの構成を示すブロック図
【図１３】実施の形態４における記録装置の動作を示すフローチャート
【図１４】実施の形態４における記録装置の動作を示すフローチャート
【図１５】実施の形態４におけるパネルの表示例を示す図
【図１６】実施の形態４におけるサーバ装置の動作を示す図
【図１７】実施の形態４における記録装置の動作を示す図
【図１８】実施の形態５における情報処理装置の構成を示すブロック図
【図１９】実施の形態５における情報処理装置の動作を説明するフローチャート
【図２０】実施の形態６における情報処理装置の構成を示すブロック図
【図２１】実施の形態６における情報処理装置の動作を説明するフローチャート
【図２２】実施の形態６における料金情報格納部に格納されている料金情報の例を示す図
【図２３】実施の形態６における課金情報の例を示す図
【図２４】実施の形態６における課金情報格納部に格納されている課金情報の例を示す図
【図２５】実施の形態６における処理結果である課金情報の例を示す図
【図２６】実施の形態７における情報処理システムの構成図
【図２７】実施の形態７における情報処理装置の動作を説明するフローチャート
【図２８】実施の形態８における送受信システムの構成図
【図２９】実施の形態９における情報処理システムの構成図
【図３０】実施の形態９における情報処理装置の動作を説明するフローチャート
【図３１】実施の形態９における送信装置の動作を説明するフローチャート
【図３２】実施の形態９における情報処理装置における入力画面の例を示す図
【図３３】実施の形態９における情報処理装置における入力画面の例を示す図
【図３４】実施の形態９におけるレベルと著作権処理情報の対応表を示す図
【図３５】実施の形態９における指示情報の例を示す図
【図３６】実施の形態９における個人認証管理表の例を示す図
【図３７】実施の形態１０における情報処理システムの構成を示すブロック図
【図３８】実施の形態１０における送信装置の動作を説明するフローチャート
【符号の説明】
【０３０２】
１０１，１２１  記録装置
１０２，２９３  記録媒体
１０１１  コンピュータ本体
１０１２  記録媒体のドライブ
１０１３  ディスプレイ
２０１  命令受付部
２０２  著作権情報取得部
２０３  判断部
２０４  記録方法決定部
２０５  コンテンツ保持部
２０６  コンテンツ取得部
２０７  コンテンツ記録部
５０１  装置側情報保持部
５０２  媒体側情報取得部
５０３  記録方法決定部
８０１、２６２、２９２、３７１  送信装置
８０２、２８０１  受信装置
８０１１  データ保持部
８０１２  データ送信部
８０２１  第一チューナー
８０２２  第二チューナー
８０２３  コンテンツ蓄積部
１２２、２８０１  サーバ装置
１２１１  パネル表示部
１２１２  入力情報受付部
１２１３  入力情報送信部
１２１４  結果受信部
１２１５  結果出力部
１８１、２６１，２９１  情報処理装置
１８１１、２６１１  著作権処理情報受付部
１８１２、２６１２  著作権処理情報記録部
２００１、２６２２、３７１２  著作権処理情報取得部
２００２  料金情報格納部
２００３  課金料決定部
２００４  課金情報格納部
２００５  課金情報記録部
２６２１、３７１１  著作権処理情報格納部
２６２３、２９２３、３７１３  著作権処理情報送信部
２９１１  指示情報受付部
２９１２  指示情報送信部
２９２１  指示情報受信部
２９２２  著作権処理情報生成部
３７１４  著作料決定部
３７１５  著作権料集計部
３７１６  著作権料格納部
【図１】
2007265416.tif 000003
【図２】
2007265416.tif 000004
【図３】
2007265416.tif 000005
【図４】
2007265416.tif 000006
【図５】
2007265416.tif 000007
【図６】
2007265416.tif 000008
【図７】
2007265416.tif 000009
【図８】
2007265416.tif 000010
【図９】
2007265416.tif 000011
【図１０】
2007265416.tif 000012
【図１１】
2007265416.tif 000013
【図１２】
2007265416.tif 000014
【図１３】
2007265416.tif 000015
【図１４】
2007265416.tif 000016
【図１５】
2007265416.tif 000017
【図１６】
2007265416.tif 000018
【図１７】
2007265416.tif 000019
【図１８】
2007265416.tif 000020
【図１９】
2007265416.tif 000021
【図２０】
2007265416.tif 000022
【図２１】
2007265416.tif 000023
【図２２】
2007265416.tif 000024
【図２３】
2007265416.tif 000025
【図２４】
2007265416.tif 000026
【図２５】
2007265416.tif 000027
【図２６】
2007265416.tif 000028
【図２７】
2007265416.tif 000029
【図２８】
2007265416.tif 000030
【図２９】
2007265416.tif 000031
【図３０】
2007265416.tif 000032
【図３１】
2007265416.tif 000033
【図３２】
2007265416.tif 000034
【図３３】
2007265416.tif 000035
【図３４】
2007265416.tif 000036
【図３５】
2007265416.tif 000037
【図３６】
2007265416.tif 000038
【図３７】
2007265416.tif 000039
【図３８】
2007265416.tif 000040